(57)【要約】【課題】歯幅の広い被削歯車に対してシェービングカッターを用いた仕上げ加工を行う場合に、その仕上げ加工に要する作業時間を短縮する。【解決手段】予め歯切り加工された被削歯車３の歯面を、シェービングカッター５を使用して切削することで仕上げ加工を行う仕上げ加工工程を含む歯車の製造方法であって、仕上げ加工工程が、シェービングカッター５を回転させながら切り込み方向に送ることによって、被削歯車３における１速カウンタギア３１にプランジ加工を行う第１工程と、シェービングカッター５を被削歯車３から離間させた状態で、シェービングカッター５と被削歯車３を被削歯車３の歯幅方向に相対移動させる第２工程と、シェービングカッター５を回転させながら切り込み方向に送ることによって、被削歯車３における１速カウンタギア３１とは異なるリバースカウンタギア３２にプランジ加工を行う第３工程と、を含む。【選択図】図８
2018001345.tif 000002
【特許請求の範囲】
【請求項１】
予め歯切り加工された被削歯車の歯面を、シェービングカッターを使用して切削することで仕上げ加工を行う仕上げ加工工程を含む歯車の製造方法であって、
前記仕上げ加工工程が、
前記シェービングカッターを回転させながら切り込み方向に送ることによって、前記被削歯車における第１加工領域にプランジ加工を行う第１工程と、
前記シェービングカッターを前記被削歯車から離間させた状態で、前記シェービングカッターと前記被削歯車を前記被削歯車の歯幅方向に相対移動させる第２工程と、
前記シェービングカッターを回転させながら切り込み方向に送ることによって、前記被削歯車における前記第１加工領域とは異なる第２加工領域にプランジ加工を行う第３工程と、
を含むことを特徴とする歯車の製造方法。
【請求項２】
前記第１工程及び前記第３工程の少なくとも何れか一方の前に、前記シェービングカッターと前記被削歯車との位相合わせを行う第４工程を更に含むことを特徴とする請求項１に記載の歯車の製造方法。
【請求項３】
前記被削歯車は、変速機を構成するカウンターシャフトに設けられた歯車であって、前記第１加工領域に第１ギアが噛み合わされ、前記第２加工領域に第２ギアが噛み合わされることを特徴とする請求項１又は２に記載の歯車の製造方法。
【請求項４】
予め歯切り加工された被削歯車の歯面を、シェービングカッターを使用して切削することで仕上げ加工を行う歯車製造装置であって、
前記シェービングカッターを回転させる回転部と、
前記シェービングカッターを切り込み方向に進退させる進退部と、
前記シェービングカッターと前記被削歯車を前記被削歯車の歯幅方向に相対移動させる移動部と、
前記回転部、前記進退部及び前記移動部の動作をそれぞれ制御する制御部と、
を備え、
前記制御部は、
前記シェービングカッターを回転させながら切り込み方向に送ることによって、前記被削歯車における第１加工領域に第１プランジ加工を行うよう、前記回転部及び前記進退部を制御し、
前記シェービングカッターを前記被削歯車から離間させた状態で、前記シェービングカッターと前記被削歯車を前記被削歯車の歯幅方向に相対移動させるよう、前記進退部及び前記移動部を制御し、
前記シェービングカッターを回転させながら切り込み方向に送ることによって、前記被削歯車における前記第１加工領域とは異なる第２加工領域に第２プランジ加工を行うよう、前記回転部及び前記進退部を制御するように構成されている
ことを特徴とする歯車製造装置。
【請求項５】
前記シェービングカッターと前記被削歯車との位相合わせを行う位相合わせ部を更に備え、
前記制御部は、
前記第１プランジ加工及び前記第２プランジ加工の少なくとも何れか一方の前に、前記シェービングカッターと前記被削歯車との位相合わせを行うよう、前記位相合わせ部を制御するように構成されている
ことを特徴とする請求項４に記載の歯車製造装置。
【請求項６】
予め歯切り加工された被削歯車の歯面を、シェービングカッターを使用して切削することで仕上げ加工を行う歯車製造装置を制御するための歯車製造プログラムであって、
前記歯車製造装置は、
前記シェービングカッターを回転させる回転部と、
前記シェービングカッターを切り込み方向に進退させる進退部と、
前記シェービングカッターと前記被削歯車を前記被削歯車の歯幅方向に相対移動させる移動部と、
前記回転部、前記進退部及び前記移動部の動作をそれぞれ制御する制御部と、
を備え、
前記シェービングカッターを切り込み方向に送ることで前記被削歯車における第１加工領域に第１プランジ加工を行うよう、前記制御部に前記進退部を制御する工程を実行させ、
前記シェービングカッターを後退させることで前記被削歯車から離間させるよう、前記制御部に前記進退部を制御する工程を実行させ、
前記シェービングカッターを前記第１加工領域からそれとは異なる第２加工領域へと相対移動させるよう、前記制御部に前記移動部を制御する工程を実行させ、
前記シェービングカッターを切り込み方向に送ることで前記第２加工領域に第２プランジ加工を行うよう、前記制御部に前記進退部を制御する工程を実行させる
ことを特徴とする歯車製造プログラム。
【請求項７】
前記歯車製造装置は、前記シェービングカッターと前記被削歯車との位相合わせを行う位相合わせ部を更に備え、
前記第１プランジ加工を行う工程及び前記第２プランジ加工を行う工程の少なくとも何れか一方の前に、前記シェービングカッターと前記被削歯車との位相合わせを行うよう、前記制御部に前記位相合わせ部を制御する工程を更に実行させる
ことを特徴とする請求項６に記載の歯車製造プログラム。
【発明の詳細な説明】
【技術分野】
【０００１】
本発明は、シェービングカッターを使用して被削歯車の歯面を切削することで仕上げ加工を行う歯車の製造方法、歯車製造装置及び歯車製造プログラムに関する。
【背景技術】
【０００２】
歯車の製造工程においては、予め歯切り加工された被削歯車に対し、同じく歯車形状を有するシェービングカッターを噛み合わせて回転させることにより、被削歯車の歯面を平滑に切削する仕上げ加工が行われる（例えば、特許文献１を参照）。
【０００３】
ここで、シェービングカッターには製作上の制約があるため、歯幅の広いシェービングカッターを製作することが難しい。従って、被削歯車がシェービングカッターより歯幅の広い形状を有する場合、いわゆるトラバース加工による仕上げ加工が従来行われている。このトラバース加工では、シェービングカッターを切り込み方向に送りながら、更にシェービングカッターと被削歯車の位置関係を相対的に変化させることにより、被削歯車の歯幅方向の全長に亘って、シェービングカッターによる歯面の切削が行われる。
【先行技術文献】
【特許文献】
【０００４】
【特許文献１】特開２００４−７４３６７号公報
【発明の概要】
【発明が解決しようとする課題】
【０００５】
しかし、従来の歯車の製造方法によれば、被削歯車が歯幅の広い形状を有する場合、シェービングカッターを用いた仕上げ加工に要する作業時間が長くなるという問題がある。より詳細に説明すると、従来のトラバース加工のように、シェービングカッターを切り込み方向に送りながら、更にシェービングカッターと被削歯車の位置関係を相対的に変化させる動作は、シェービングカッターを切り込み方向にのみ送る動作と比較して、その作業速度が大幅に遅い。従って、仕上げ加工に要する作業時間が長くなる。更に、トラバース加工では、前述のように被削歯車の歯幅方向の全長に亘ってシェービングカッターによる仕上げ加工が行われる。従って、被削歯車において仕上げ加工の必要がない領域、例えば噛み合うべき相手方の歯車が存在しない領域についても仕上げ加工が行われる。これにより、仕上げ加工に要する作業時間が一層長くなる。
【０００６】
そこで本発明は、かかる事情に鑑みて創案され、その目的は、歯幅の広い被削歯車に対してシェービングカッターを用いた仕上げ加工を行う場合に、その仕上げ加工に要する作業時間を短縮することにある。
【課題を解決するための手段】
【０００７】
本発明の一の態様によれば、予め歯切り加工された被削歯車の歯面を、シェービングカッターを使用して切削することで仕上げ加工を行う仕上げ加工工程を含む歯車の製造方法であって、前記仕上げ加工工程が、前記シェービングカッターを回転させながら切り込み方向に送ることによって、前記被削歯車における第１加工領域にプランジ加工を行う第１工程と、前記シェービングカッターを前記被削歯車から離間させた状態で、前記シェービングカッターと前記被削歯車を前記被削歯車の歯幅方向に相対移動させる第２工程と、前記シェービングカッターを回転させながら切り込み方向に送ることによって、前記被削歯車における前記第１加工領域とは異なる第２加工領域にプランジ加工を行う第３工程と、を含むことを特徴とする歯車の製造方法が提供される。
【０００８】
なお、本発明において「歯幅」とは、被削歯車やシェービングカッターについて、その回転軸方向への歯の幅を意味し、「歯幅方向」とは回転軸方向を意味している。
【０００９】
本発明の一の態様に係る歯車の製造方法は、前記第１工程及び前記第３工程の少なくとも何れか一方の前に、前記シェービングカッターと前記被削歯車との位相合わせを行う第４工程を更に含んでもよい。
【００１０】
本発明の一の態様に係る歯車の製造方法では、前記被削歯車が、変速機を構成するカウンターシャフトに設けられた歯車であって、前記第１加工領域に第１ギアが噛み合わされ、前記第２加工領域に第２ギアが噛み合わされてもよい。
【発明の効果】
【００１１】
本発明の一の態様によれば、歯幅の広い被削歯車に対してシェービングカッターを用いた仕上げ加工を行う場合、その仕上げ加工に要する作業時間を短縮することができる。
【図面の簡単な説明】
【００１２】
【図１】本発明の実施形態に係る歯車の製造方法が適用されるカウンターシャフトを示す概略平面図である。
【図２】本発明の実施形態に係る歯車の製造方法で使用されるシェービングカッターを示す概略斜視図である。
【図３】シェービングカッターの歯の１つを拡大した部分拡大図である。
【図４】各歯のセレーションの配列を説明するための説明図である。
【図５】本発明の実施形態に係る歯車の製造方法を工程順に説明するための説明図である。
【図６】本発明の実施形態に係る歯車の製造方法を工程順に説明するための説明図である。
【図７】本発明の実施形態に係る歯車製造装置の機能的な構成を示すブロック図である。
【図８】本発明の実施形態に係る歯車製造プログラムに基づく処理の流れを示すフロー図である。
【図９】トラバース加工について説明するための説明図である。
【発明を実施するための形態】
【００１３】
以下、添付図面を参照して本発明の実施形態について説明する。
【００１４】
まず、本発明の実施形態に係る歯車の製造方法について説明するに先立って、歯車の製造方法が適用されるカウンターシャフト及び歯車の製造方法で使用されるシェービングカッターの構成についてそれぞれ説明する。
【００１５】
（カウンターシャフト）
図１は、本発明の実施形態に係る歯車の製造方法が適用されるカウンターシャフト１を示す概略平面図である。カウンターシャフト１は、自動車等の変速機（手動変速機）を構成し、図に詳細は示さないが、エンジンから駆動力が入力されるインプットシャフト及び駆動輪に対して駆動力を出力するアウトプットシャフトと平行するようにして、ミッションケースの内部に配置されている。
【００１６】
カウンターシャフト１は、図１に示すように、長尺なシャフト本体２の一端部に設けられた被削歯車３と、シャフト本体２の中央部に設けられた中央ギア４とを備えている。ここで、図に詳細は示さないが、中央ギア４は、アウトプットシャフト上に設けられたギアに噛み合わされている。
【００１７】
被削歯車３は、歯すじが回転軸に対して斜めに捩じれたはすば歯車である（図５参照）。この被削歯車３は、図１に示すように、シャフト本体２の一端側の周面に一体に設けられた１速カウンタギア（特許請求の範囲で言う「第１加工領域」）３１と、同じくシャフト本体２の周面であって１速カウンタギア３１から軸方向に沿って中央ギア４と逆側に一体に設けられたリバースカウンタギア（特許請求の範囲で言う「第２加工領域」）３２と、１速カウンタギア３１とリバースカウンタギア３２の間に設けられた所定幅の隙間３３と、を備えている。
【００１８】
１速カウンタギア３１は、図に詳細は示さないが、アウトプットシャフト上に設けられた１速アウトプットギア（特許請求の範囲で言う「第１ギア」）に噛み合っている。また、リバースカウンタギア３２は、ミッションケースによって回転自在に支持されたリバースアイドルギア（特許請求の範囲で言う「第２ギア」）に噛み合っている。そして、このリバースアイドルギアが、アウトプットシャフトに設けられたリバースアウトプットギアに噛み合っている。このような構成により、カウンターシャフト１に伝達されたエンジン駆動力が、アウトプットシャフトへ伝達可能となっている。なお、隙間３３は、歯切り加工はされているが、噛み合う相手方の歯車が存在しない領域である。
【００１９】
なお、本実施形態では、本発明の被削歯車の一例として、カウンターシャフト１に設けられた被削歯車３を説明する。しかし、本発明の被削歯車は、カウンターシャフト１に設けられた被削歯車３に限定されず、シェービングカッターの歯幅よりも広い歯幅を有する任意の歯車であってよい。また、本実施形態では、被削歯車３がはすば歯車である場合を例に説明したが、これに限られず被削歯車３は、歯すじが回転軸に対して平行な平歯車や、その他の歯車であってもよい。
【００２０】
（シェービングカッター）
図２は、本発明の実施形態に係る歯車の製造方法で使用されるシェービングカッター５を示す概略斜視図、図３はシェービングカッター５の歯６の１つを拡大した部分拡大図、図４は各歯６のセレーション７の配列を説明するための説明図である。なお、図４では、説明の便宜上、シェービングカッター５に形成された複数の歯６を、Ａ１〜Ａ１３としてそれぞれ記載している。
【００２１】
シェービングカッター５は、図２に示すように、概略円盤状の外形を有している。このシェービングカッター５の外周面には、軸方向に延びる歯６が、周方向に等間隔で複数個形成されている。
【００２２】
各歯６の歯面６１には、図３に示すように、セレーション７が形成されている。このセレーション７は、歯幅方向に所定間隔で歯面６１を切り欠いて形成された複数の溝部７１と、各溝部７１の間に形成された複数の山部７２とを備えている。そして、各山部７２の歯幅方向両縁部がそれぞれ切れ歯としての役割を果たすようになっている。図４に示すように、各歯６（Ａ１〜Ａ１３）のセレーション７は、溝部７１と山部７２の歯幅方向の位置が少しずつずらされることにより、いわゆるディファレンシャルセレーションとして構成されている。このような構成によれば、シェービングカッター５の各歯６によって被削歯車３の歯面全体が偏りなく切削されるので、被削歯車３の仕上げ加工を高い精度で行うことができる。
【００２３】
（歯車の製造方法）
次に、上述のシェービングカッター５を使用した本発明の実施形態に係る歯車の製造方法について説明する。図５及び図６は、本発明の実施形態に係る歯車の製造方法を工程順に説明するための説明図である。なお、図５及び図６では、説明の便宜上、カウンターシャフト１における被削歯車３の部分だけを拡大して図示している。
【００２４】
歯車の製造に際しては、予め歯切り加工された被削歯車３に対して、シェービングカッター５を用いた仕上げ加工工程を行う。まず、被削歯車３の１速カウンタギア３１（図５（ａ）にドットで示す）に対向する位置において、シェービングカッター５と被削歯車３との位相合わせを行う（特許請求の範囲で言う「第４工程」）。具体的には、図５（ａ）に示すように、シェービングカッター５を被削歯車３から上方へ若干離間させた状態において、シェービングカッター５の各歯６が被削歯車３の各歯３４と良好に噛み合うよう、シェービングカッター５を被削歯車３の歯幅方向及び回転方向に適宜位置決めする。なお、図５（ａ）に示すように、シェービングカッター５と被削歯車３とは、それぞれの軸が所定角度で交差するような位置関係となっている。
【００２５】
次に、被削歯車３における１速カウンタギア（第１加工領域）３１に対して第１プランジ加工を行う（特許請求の範囲で言う「第１工程」）。具体的には、図５（ａ）に矢印で示すように、位相合わせが完了した状態のシェービングカッター５を切り込み方向に送る。これにより、図５（ｂ）に示すように、シェービングカッター５が被削歯車３に接触し、シェービングカッター５の各歯６が被削歯車３の各歯３４と噛み合う。この状態において、シェービングカッター５の回転を開始させる。それに伴い、シェービングカッター５に噛み合った被削歯車３も、シェービングカッター５に従動して回転を開始する。
【００２６】
そして、図５（ｂ）に矢印で示すように、シェービングカッター５が切り込み方向に更に送られると、前述のようにシェービングカッター５と被削歯車３とはそれぞれの軸が交差する位置関係であるため、シェービングカッター５と被削歯車３との接触部において横滑りが生じる。この時、図３に示す山部７２の両縁部によって被削歯車３の歯面が切削されることにより、被削歯車３における１速カウンタギア３１に対して第１プランジ加工が行われる。
【００２７】
なお、本願明細書においてシェービングカッター５の切り込み方向とは、被削歯車３の歯幅方向に略直交し且つ被削歯車３に近接する方向を意味し、図５（ａ）に矢印で示すように、図５の紙面に向かって下方向を意味している。
【００２８】
次に、シェービングカッター５を被削歯車３の歯幅方向に移動させる（特許請求の範囲で言う「第２工程」）。具体的には、図５（ｂ）に示す状態において、まずシェービングカッター５の回転を停止させる。それに伴い、シェービングカッター５に従動して回転していた被削歯車３も、その回転が停止する。これにより、第１プランジ加工が終了する。その後、図５（ｂ）に示す状態から、まずシェービングカッター５を切り込み方向とは逆方向に移動させる。これにより、シェービングカッター５は被削歯車３から上方へ離間した状態となる。
【００２９】
次に、図５（ｃ）に矢印で示すように、シェービングカッター５を被削歯車３の歯幅方向に沿って移動させる。そして、図６（ａ）に示すように、被削歯車３のリバースカウンタギア３２（図６（ａ）にドットで示す）に対向する位置までシェービングカッター５を移動させると、シェービングカッター５の移動を停止させる。
【００３０】
次に、リバースカウンタギア３２に対向する位置において、シェービングカッター５と被削歯車３との位相合わせを行う（特許請求の範囲で言う「第４工程」）。具体的には、シェービングカッター５を被削歯車３から上方へ若干離間させた状態において、シェービングカッター５の各歯６が被削歯車３の各歯３４と良好に噛み合うよう、シェービングカッター５を被削歯車３の歯幅方向及び回転方向に適宜位置決めする。なお、図６（ａ）に示す状態においても、シェービングカッター５と被削歯車３とは、それぞれの軸が所定角度で交差するような位置関係となっている。
【００３１】
次に、被削歯車３におけるリバースカウンタギア（第２加工領域）３２に対して第２プランジ加工を行う（特許請求の範囲で言う「第３工程」）。具体的には、図６（ａ）に矢印で示すように、位相合わせが完了した状態のシェービングカッター５を切り込み方向に送る。これにより、図６（ｂ）に示すように、シェービングカッター５が被削歯車３に接触し、シェービングカッター５の各歯６が被削歯車３の各歯３４と噛み合う。この状態において、シェービングカッター５の回転を開始させる。これにより、シェービングカッター５に噛み合った被削歯車３も、シェービングカッター５に従動して回転を開始する。そして、図６（ｂ）に矢印で示すように、シェービングカッター５が切り込み方向に更に送られると、前述の第１工程と同様にして、被削歯車３におけるリバースカウンタギア３２に対して第２プランジ加工が行われる。
【００３２】
その後、リバースカウンタギア３２に対する第２プランジ加工が完了すると、図５（ｂ）に示す状態において、シェービングカッター５の回転を停止させる。これに伴い、シェービングカッター５に従動して回転していた被削歯車３も、その回転が停止する。これにより、第２プランジ加工が終了する。その後、図６（ｂ）に示す状態からシェービングカッター５を切り込み方向とは逆方向に移動させる。これにより、シェービングカッター５は、図６（ａ）に示すように、被削歯車３から上方へ離間した状態となる。以上により、被削歯車３に対する仕上げ加工工程が終了する。
【００３３】
なお、以上説明した本発明の実施形態に係る歯車の製造方法は、作業者が手動で実施してもよいし、後述する歯車製造装置によって自動的に実施されてもよい。
【００３４】
（歯車製造装置）
次に、本発明の実施形態に係る歯車製造装置について説明する。図７は、本発明の実施形態に係る歯車製造装置８の機能的な構成を示すブロック図である。歯車製造装置８は、シェービングカッター５と、シェービングカッター５を駆動するシェービングカッター駆動部９と、歯車製造プログラム１０を格納した記憶部１１と、作業者が各種操作を行うための操作部１２と、これら各部の動作を制御する制御部１３と、各部を相互に接続するシステムバス１４とを備えている。なお、シェービングカッター５の構成は前述の通りであって、ここでは説明を省略する。
【００３５】
シェービングカッター駆動部９は、図７に示すように、シェービングカッター５を回転させる回転部９１と、シェービングカッター５を切り込み方向に進退させる進退部９２と、シェービングカッター５を被削歯車３の歯幅方向に移動させる移動部９３と、シェービングカッター５を被削歯車３に対して位相合わせする位相合わせ部９４とを備えている。
【００３６】
（歯車製造プログラム）
次に、本発明の実施形態に係る歯車製造プログラム１０について説明する。図８は、歯車製造プログラム１０に基づく処理の流れを示すフロー図である。なお、このような処理は、図７に示す制御部１３が、記憶部１１から読み出した歯車製造プログラム１０に基づいて実行する。
【００３７】
図７に示す操作部１２が操作されることによって歯車製造処理が開始すると、制御部１３は、図８に示すように、まず１速カウンタギア（第１加工領域）３１における位相合わせを行う（Ｓ１）。具体的には、図５（ａ）に示すようにシェービングカッター５が被削歯車３から上方へ若干離間した状態において、制御部１３は、図７に示す位相合わせ部９４の動作を制御することにより、シェービングカッター５の各歯６が被削歯車３の各歯３４と良好に噛み合うよう、シェービングカッター５を被削歯車３の歯幅方向及び回転方向に適宜位置決めする。
【００３８】
そして位相合わせが完了すると、制御部１３は、図８に示すように被削歯車３における１速カウンタギア３１に対して第１プランジ加工を行う（Ｓ２）。具体的には、制御部１３は、図７に示す進退部９２の動作を制御することにより、シェービングカッター５を切り込み方向に送る。これにより、シェービングカッター５が被削歯車３に接触し、シェービングカッター５の各歯６が被削歯車３の各歯３４と噛み合う。この状態において、制御部１３は、図７に示す回転部９１の動作を制御することにより、シェービングカッター５の回転を開始させる。それに伴い、シェービングカッター５に噛み合った被削歯車３も、シェービングカッター５に従動して回転を開始する。これにより、歯車の製造方法で説明したようにして、被削歯車３における１速カウンタギア３１に対して第１プランジ加工が行われる。
【００３９】
第１プランジ加工が完了すると、制御部１３は、まず図７に示す回転部９１の動作を制御することにより、シェービングカッター５の回転を停止させる（Ｓ３）。それに伴い、シェービングカッター５に従動して回転していた被削歯車３も、その回転が停止する。その後、制御部１３は、図７に示す進退部９２の動作を制御することにより、シェービングカッター５を切り込み方向とは逆方向に送る。これにより、シェービングカッター５が上昇し（Ｓ３）、被削歯車３から上方へ離間した状態となる。
【００４０】
その後、制御部１３は、被削歯車３のリバースカウンタギア３２に対向する位置へシェービングカッター５を移動させる（Ｓ４）。具体的には、制御部１３は、図７に示す移動部９３の動作を制御することにより、シェービングカッター５を被削歯車３の歯幅方向に沿って移動させる。そして、制御部１３は、被削歯車３のリバースカウンタギア３２に対向する位置までシェービングカッター５が到達すると、図７に示す移動部９３の動作を制御することにより、シェービングカッター５の移動を停止させる。
【００４１】
次に、制御部１３は、リバースカウンタギア３２に対向する位置において位相合わせを行う（Ｓ５）。具体的には、図６（ａ）に示すようにシェービングカッター５が被削歯車３から上方へ若干離間した状態において、制御部１３は、図７に示す位相合わせ部９４の動作を制御することにより、シェービングカッター５の各歯６が被削歯車３の各歯３４と良好に噛み合うよう、シェービングカッター５を被削歯車３の歯幅方向及び回転方向に適宜位置決めする。
【００４２】
そして位相合わせが完了すると、制御部１３は、図８に示すように被削歯車３におけるリバースカウンタギア３２に対して第２プランジ加工を行う（Ｓ６）。具体的には、制御部１３は、図７に示す進退部９２の動作を制御することにより、位相合わせが完了したシェービングカッター５を切り込み方向に送る。これにより、シェービングカッター５が被削歯車３に接触し、シェービングカッター５の各歯６が被削歯車３の各歯３４と噛み合う。この状態において、制御部１３は、図７に示す回転部９１の動作を制御することにより、シェービングカッター５の回転を開始させる。それに伴い、シェービングカッター５に噛み合った被削歯車３も、シェービングカッター５に従動して回転を開始する。これにより、歯車の製造方法で説明したようにして、被削歯車３におけるリバースカウンタギア３２に対して第２プランジ加工が行われる。
【００４３】
第２プランジ加工が完了すると、制御部１３は、まず図７に示す回転部９１の動作を制御することにより、シェービングカッター５の回転を停止させる（Ｓ７）。それに伴い、シェービングカッター５に従動して回転していた被削歯車３も、その回転が停止する。その後、制御部１３は、図７に示す進退部９２の動作を制御することにより、シェービングカッター５を切り込み方向とは逆方向に送る。これにより、シェービングカッター５が上昇し（Ｓ７）、被削歯車３から上方へ離間した状態となる。以上により、歯車製造処理が終了する。
【００４４】
（作用効果）
以上説明したような歯車の製造方法、歯車製造装置８及び歯車製造プログラム１０によれば、シェービングカッター５より歯幅の広い被削歯車３に対してシェービングカッター５を用いた仕上げ加工を行う場合に、仕上げ加工に要する作業時間をトラバース加工と比較して短縮することができる。より詳細に説明すると、歯幅の広い被削歯車３に対しては、いわゆるトラバース加工による仕上げ加工が一般的に行われる。ここで、図９はトラバース加工について説明するための説明図である。トラバース加工では、被削歯車２０より歯幅の狭いシェービングカッター２１が使用される。図９に矢印で示すように、シェービングカッター２１をその切り込み方向に送りながら、更にシェービングカッター２１と被削歯車２０の位置関係を相対的に変化させる。例えば、図９では、シェービングカッター２１が被削歯車２０の軸方向に沿って移動されることにより、被削歯車２０の軸方向の全長に亘って、シェービングカッター２１による切削が行われる。
【００４５】
しかし、トラバース加工のように、シェービングカッター２１を切り込み方向に送りながら、更にシェービングカッター２１と被削歯車２０の位置関係を相対的に変化させる動作は、シェービングカッター２１を切り込み方向にのみ送る動作と比較して、その作業速度が大幅に遅い。従って、仕上げ加工に要する作業時間が長くなる。更に、例えば図９に示すトラバース加工では、被削歯車２０の軸方向の全長に亘ってシェービングカッター２１による仕上げ加工が行われる。従って、被削歯車２０において仕上げ加工の必要がない領域、例えば噛み合うべき相手方の歯車が存在しない領域についても仕上げ加工が行われる。これにより、仕上げ加工に要する作業時間が一層長くなる。
【００４６】
これに対し、本実施形態に係る歯車の製造方法、歯車製造装置８及び歯車製造プログラム１０によれば、被削歯車３に対してはプランジ加工が行われるだけであって、このプランジ加工ではシェービングカッター５がその切り込み方向にのみ送られる。従って、シェービングカッター２１と被削歯車２０の位置関係を相対的に変化させるトラバース加工と比較して、作業速度が大幅に速くなる。従って、本実施形態に係る歯車の製造方法によれば、仕上げ加工に要する作業時間をトラバース加工と比較して短縮することができる。更に、本実施形態に係る歯車の製造方法によれば、被削歯車３において仕上げ加工が必要な領域、すなわち１速カウンタギア３１及びリバースカウンタギア３２だけに対して仕上げ加工が行われ、仕上げ加工が不要な領域、例えば１速カウンタギア３１とリバースカウンタギア３２の間に設けられた隙間３３（図１参照）については、仕上げ加工が行われない。従って、本実施形態に係る歯車の製造方法によれば、仕上げ加工に要する作業時間を一層短縮することができる。
【００４７】
また、本実施形態に係る歯車の製造方法、歯車製造装置８及び歯車製造プログラム１０によれば、変速機等の実運転時に高い性能を発揮し得る歯車を製造することができる。より詳細に説明すると、変速機等を構成する歯車を製造する場合、強度や騒音といった歯車の性能を高いレベルで確保するために、歯車の歯面形状を適切に調節することが必要とされる。しかし、静的精度の高い歯車を製造しても、変速機等の実運転時には高温及び高トルクが付与されることによって歯車が変形するため、静的精度の高い歯車が必ずしも高い性能を発揮するとは限らない。そこで、このような歯車の変形を考慮に入れて、実運転時に相手方の歯車と良好に噛み合うように、静的な歯面形状に予め誤差を与えて歯車を製造することが行われる。
【００４８】
ここで、歯面形状に与える誤差としては、例えば、歯たけ方向の傾きに関する誤差である圧力角誤差や、歯幅方向の傾きに関する誤差であるリード誤差や、歯すじ方向の形状（中央部の膨らみ）に関する誤差であるリードクラウニング量が挙げられる。そして、このような歯面形状の誤差は、シェービングカッター５を使用した仕上げ加工時に付与されるのが一般的である。しかし、歯幅の広い歯車に対してトラバース加工で仕上げ加工を行う場合、圧力角誤差やリード誤差やリードクラウニング量等に関し、被削歯車２０に付与可能な大きさが制限される。これにより、製造される歯車が実運転時に高い性能を発揮できない場合がある。
【００４９】
これに対し、本願実施形態に係る歯車の製造方法、歯車製造装置８及び歯車製造プログラム１０によれば、被削歯車３に対してはプランジ加工が行われるだけである。そして、このプランジ加工によれば、トラバース加工と比較して、所望の大きさの圧力角誤差やリード誤差やリードクラウニング量等を被削歯車３に付与することが可能である。従って、変速機等の実運転時に高い性能を発揮し得る歯車を製造することができる。
【００５０】
加えて、本実施形態では、被削歯車３における１速カウンタギア３１とリバースカウンタギア３２それぞれに対してプランジ加工を行うので、噛み合う相手方の歯車の形状等に応じて、被削歯車３の２箇所について異なる大きさのリード誤差等を付与することも可能である。従って、被削歯車３の歯面形状をより高精度に製作することができるので、実運転時により高い性能を発揮し得る歯車を製造することができる。
【００５１】
（変形例）
以上、本発明の実施形態を詳細に述べたが、本発明の実施形態としては以下に示すような変形例も考えられる。
【００５２】
（１）本実施形態では、１速カウンタギア３１が本発明の第１加工領域に相当し、リバースカウンタギア３２が本発明の第２加工領域に相当するものとして説明した。しかし、これとは逆に、１速カウンタギア３１が第２加工領域に相当し、リバースカウンタギア３２が第１加工領域に相当してもよい。また、本実施形態では、被削歯車３が１速カウンタギア３１とリバースカウンタギア３２だけを備える場合について説明した。しかし、本発明の被削歯車３はこの形態だけに限られず、１速カウンタギア３１及びリバースカウンタギア３２以外に、２速カウンタギアや３速カウンタギア等を備えてもよい。この場合、これら２速カウンタギアや３速カウンタギアに対応する第３加工領域や第４加工領域へとシェービングカッター５を順次移動させればよい。
【００５３】
（２）本実施形態では、シェービングカッター５と被削歯車３との位相合わせ（第４工程）を、シェービングカッター５だけを移動させることによって行っている。しかし、これに限られず、被削歯車３だけを移動させることにより、またはシェービングカッター５と被削歯車３の両方を移動させることにより、両者の位相合わせを行ってもよい。
【００５４】
（３）本実施形態では、シェービングカッター５と被削歯車３との位相合わせを、被削歯車３における１速カウンタギア３１にプランジ加工を行う前とリバースカウンタギア３２にプランジ加工を行う前の合計２回行っている。しかし、位相合わせを行う回数はこれに限られず、１速カウンタギア３１にプランジ加工を行う前の１回だけ、或いはリバースカウンタギア３２にプランジ加工を行う前の１回だけでもよい。
【００５５】
（４）本実施形態では、歯車の製造方法における第２工程において、シェービングカッター５を被削歯車３の歯幅方向に移動させる場合について説明した。しかし、本発明に係る第２工程は、シェービングカッター５と被削歯車３を被削歯車３の歯幅方向に相対移動させる工程であればよい。従って、本実施形態に限られず、被削歯車３をシェービングカッター５に対して被削歯車３の歯幅方向に移動させてもよいし、またはシェービングカッター５と被削歯車３の両方を被削歯車３の歯幅方向に移動させてもよい。
【００５６】
同様に、本実施形態では、歯車製造装置８における移動部９３が、シェービングカッター５を被削歯車３の歯幅方向に移動させる場合について説明した。しかし、本発明に係る移動部９３は、シェービングカッター５と被削歯車３を被削歯車３の歯幅方向に相対移動させるものであればよい。従って、本実施形態に限られず、移動部９３が被削歯車３をシェービングカッター５に対して被削歯車３の歯幅方向に移動させてもよいし、または移動部９３がシェービングカッター５と被削歯車３の両方を被削歯車３の歯幅方向に移動させてもよい。
【００５７】
本発明の実施形態は前述の実施形態のみに限らず、特許請求の範囲によって規定される本発明の思想に包含されるあらゆる変形例や応用例、均等物が本発明に含まれる。従って本発明は、限定的に解釈されるべきではなく、本発明の思想の範囲内に帰属する他の任意の技術にも適用することが可能である。
【符号の説明】
【００５８】
１  カウンターシャフト
３  被削歯車
５  シェービングカッター
８  歯車製造装置
１０  歯車製造プログラム
１３  制御部
３１  １速カウンタギア（第１加工領域）
３２  リバースカウンタギア（第２加工領域）
９１  回転部
９２  進退部
９３  移動部
９４  位相合わせ部
Ｓ２  第１プランジ加工
Ｓ６  第２プランジ加工
【図１】
2018001345.tif 000003
【図２】
2018001345.tif 000004
【図３】
2018001345.tif 000005
【図４】
2018001345.tif 000006
【図５】
2018001345.tif 000007
【図６】
2018001345.tif 000008
【図７】
2018001345.tif 000009
【図８】
2018001345.tif 000010
【図９】
2018001345.tif 000011